(57)【特許請求の範囲】
【請求項１】
足底部および当該足底部に繋がる足甲部を含む、伸縮性生地からなる本体部を有するサポーターに備えられ、足裏の足底アーチを支えるパッドであって、
前記足底部に配置され、足裏の舟状骨に対応する部分に頂部を有し、
足の長手方向に対して垂直であり、かつ前記頂部を通る平面で切断した場合の断面視において、
前記頂部から足裏の内側へ向けて急傾斜した部分を含む第１傾斜面と、
前記頂部から足裏の外側へ向けて緩傾斜した部分を含む第２傾斜面と、を有し、
前記頂部を通る稜線において、前記第１傾斜面と前記第２傾斜面とが接続されていることを特徴とするパッド。
【請求項２】
前記頂部は、前記舟状骨の舟状骨粗面に対応することを特徴とする請求項１に記載のパッド。
【請求項３】
足裏の内側よりに配置される第１端部を含み、
前記第１端部は、足の長手方向に沿って略直線状に延伸していることを特徴とする請求項１または２に記載のパッド。
【請求項４】
前記足の長手方向における前記第１端部の長さは、４１ｍｍ以上、１１０ｍｍ以下であることを特徴とする請求項３に記載のパッド。
【請求項５】
前記舟状骨とともに、内側楔状骨、中間側楔状骨、外側楔状骨および距骨に対応する部分を支えることを特徴とする請求項１から４までのいずれか一項に記載のパッド。
【請求項６】
請求項１から５までのいずれか一項に記載のパッドと、
足底部および当該足底部に繋がる足甲部を含む、伸縮性生地からなる本体部と、を備えることを特徴とするサポーター。
【請求項７】
前記足甲部に取り付けられた留具をさらに備え、
前記留具において、前記本体部が開放可能になっていることを特徴とする請求項６に記載のサポーター。
【請求項８】
前記本体部は、足首に巻着される足首固定部をさらに含むことを特徴とする請求項６または７に記載のサポーター。
【請求項９】
前記足甲部の面積は、前記足底部の面積よりも小さいことを特徴とする請求項６から８までのいずれか一項に記載のサポーター。
【請求項１０】
前記足底部の前記伸縮性生地と前記パッドとの間に、前記パッドよりも低反発である低反発生地が設けられていることを特徴とする請求項６から９までのいずれか一項に記載のサポーター。
【請求項１１】
前記本体部は、前記足底部および前記足甲部に設けられ、前記伸縮性生地よりも締付力の強い、足の周方向に延伸する環状の締付部をさらに含み、
前記締付部は、前記パッドを前記舟状骨に向けて押圧することを特徴とする請求項６に記載のサポーター。
【請求項１２】
前記締付部は、前記足甲部側における面積が、前記足底部側における面積よりも小さく
なっているか、または、足の甲に対する着圧が、足裏に対する着圧よりも小さくなっていることを特徴とする請求項１１に記載のサポーター。
【請求項１３】
足底部および当該足底部に繋がる足甲部を含む、伸縮性生地からなる本体部と、
足裏の足底アーチを支えるパッドであって、前記足底部に配置され、足裏の舟状骨に対応する部分に頂部を有するパッドと、を備え、
前記足底部の前記伸縮性生地と前記パッドとの間に、前記パッドよりも低反発である低反発生地が設けられていることを特徴とするサポーター。
【発明の詳細な説明】
【技術分野】
【０００１】
本発明は、足底筋膜炎などの予防または治療に用いることができるパッドおよび当該パッドを備えるサポーターに関する。
【背景技術】
【０００２】
人の足部は複数の骨が弓状（アーチ）に組み合わされ体重を支えている。また、その足底アーチに沿って弓の弦のように足底筋膜（足底腱膜ともいう）が形成されている。ところが、長時間の歩行やランニング等の運動により足底筋膜が過剰に伸長されると、炎症を起こし、さらにはアーチ形状を保つことができず降下し、足底筋膜炎（足底腱膜炎ともいう）が発症する。
【０００３】
従来、このような足底筋膜炎を引き起こす要因である足底アーチの降下を防ぐために、足裏の土踏まずの部分にパッドを設けた各種の装具が提案されている（特許文献１〜４）。
【０００４】
特許文献１のようなパッド付きインソールの場合、部屋での生活時や睡眠時など靴を着用しない状態や、足が地面に接しない状態では、パッドによる土踏まずの押し上げ効果を得ることができない。
【０００５】
また、パッド付きベルトで土踏まずや足首を締め付ける特許文献２のサポーターの場合、足首など土踏まず以外が締め付けられることで血行が阻害されたり、痛みが生じたりする可能性がある。
【０００６】
これに対して、特許文献３のパッド付きのストラップや、特許文献４のパッド付き靴下によれば、土踏まず以外の締め付けを最小限に抑えつつ、パッドによる土踏まずの押し上げ効果を継続して得ることができる。
【先行技術文献】
【特許文献】
【０００７】
【特許文献１】国際公開第１９９９／０３３４１７号（１９９９年７月８日公開）
【特許文献２】特開２００９−１２５３２６号公報（２００９年６月１１日公開）
【特許文献３】特表平１０−５１２４６１号公報（１９９８年１２月２日公開）
【特許文献４】実用新案登録第３１０１３７０号公報（２００４年２月１８日登録）
【発明の概要】
【発明が解決しようとする課題】
【０００８】
ここで、足骨は複雑に組み合わされており、主要な足骨がずれると、足骨全体の組み合わせが崩れ、足底アーチの降下が起こる。したがって、足底アーチの降下を防ぐためには、足骨の構造や特性を考慮し、足裏の適切な位置をパッドで支えることが重要である。
【０００９】
しかしながら、特許文献３および４では、足骨の構造を考慮したパッド形状になっておらず、足底アーチの降下を十分に抑制することができないという課題がある。
【００１０】
本発明は、上記従来の課題に鑑みてなされたものであって、その目的は、足底アーチの降下を効果的に抑制して、足底筋膜炎などの予防または治療に寄与し得るパッドおよび当該パッドを備えるサポーターを提供することにある。
【課題を解決するための手段】
【００１１】
上記の課題を解決するために、本発明に係るパッドは、足底部および当該足底部に繋がる足甲部を含む、伸縮性生地からなる本体部を有するサポーターに備えられ、足裏の足底アーチを支えるパッドであって、前記足底部に配置され、足裏の舟状骨に対応する部分に頂部を有することを特徴としている。
【００１２】
複雑に組み合わされた足骨の構造上、舟状骨がずれると、足骨全体の組み合わせが崩れ、足底アーチの降下が起こりやすくなる。すなわち、舟状骨は多くの足骨と接しているため舟状骨のずれは多くの足骨のずれにつながる。そのため、足底アーチの降下を防ぐためには、舟状骨を最適な位置に維持できるよう支えることが特に重要となる。
【００１３】
上記の構成では、パッドが足裏の舟状骨に対応する部分に頂部を有している。そのため、舟状骨を頂部で適切に支えることが可能となるため、舟状骨のずれを好適に抑制することができる。
【００１４】
したがって、上記の構成によれば、舟状骨を最適な位置に維持し、足底アーチの降下を効果的に抑制して、足底筋膜炎などの予防または治療に寄与し得るパッドを実現することができる。
【００１５】
また、本発明に係るパッドでは、前記頂部は、前記舟状骨の舟状骨粗面に対応することが好ましい。
【００１６】
舟状骨のうち足裏の最も内側に位置する舟状骨粗面には後脛骨筋が付いており、この後脛骨筋の緊張が足底アーチの維持に大きく影響している。そのため、舟状骨粗面に対応する部分を支えることが重要である。
【００１７】
上記の構成では、舟状骨のうち足裏の最も内側に位置する舟状骨粗面に頂部が対応しており、舟状骨粗面に対応する部分を頂部によって支えることにより、舟状骨のずれをより好適に抑制することが可能となる。
【００１８】
したがって、上記の構成によれば、舟状骨を最適な位置に維持し、足底アーチの降下をより効果的に抑制することができる。
【００１９】
また、本発明に係るパッドでは、足裏の内側よりに配置される第１端部を含み、前記第１端部は、足の長手方向に沿って略直線状に延伸していることが好ましい。
【００２０】
上記の構成では、足裏の内側に配置されるパッドの第１端部が足の長手方向に沿って略直線状に延伸している。そのため、サポーターの本体部によってパッドを足裏に圧着させた際、従来のように第１端部が足裏の外側へ反った円弧状のパッドに比べて、足の幅方向における第１端部側のパッドの不要な変形を少なくすることが可能となる。
【００２１】
したがって、上記の構成によれば、パッドを足裏に圧着した際にパッドの頂部が舟状骨からずれることを抑制できる。
【００２２】
また、本発明に係るパッドでは、前記第１端部の長さは、４１ｍｍ以上、１１０ｍｍ以下であってもよい。
【００２３】
足底アーチの長さは、足のサイズの約３８％である。そのため、子供の足サイズを１１０ｍｍ、大人（男性）の足のサイズ２９０ｍｍを仮定した場合、第１端部の長さを４１ｍｍ以上、１１０ｍｍ以下とすることにより、子供の足のサイズから大人の足のサイズに対応したパッドを作成することが可能となる。
【００２４】
また、本発明に係るパッドでは、足の長手方向に対して垂直であり、かつ前記頂部を通る平面で切断した場合の断面視において、前記頂部から足裏の内側へ向けて急傾斜した部分を含む第１傾斜面と、前記頂部から足裏の外側へ向けて緩傾斜した部分を含む第２傾斜面と、を有していることが好ましい。
【００２５】
上記の構成によれば、サポーターの本体部によってパッドを足裏に圧着した際、足の幅方向における第１端部位側のパッドの不要な変形をさらに少なくすることが可能となる。
【００２６】
したがって、上記の構成によれば、パッドを足裏に圧着した際のパッドの変形に伴う頂部の位置ずれを抑制することができる。
【００２７】
また、本発明に係るパッドでは、前記舟状骨とともに、内側楔状骨、中間側楔状骨、外側楔状骨および距骨に対応する部分を支えることが好ましい。
【００２８】
上記の構成によれば、足裏の土踏まず全体にパッドを圧着させて、舟状骨を最適な位置に維持し、足底アーチを確実に支えることができる。
【００２９】
また、本発明に係るサポーターは、本発明に係るパッドと、足底部および当該足底部に繋がる足甲部を含む、伸縮性生地からなる本体部と、を備えることを特徴としている。
【００３０】
上記の構成によれば、足底アーチの降下を効果的に抑制して、足底筋膜炎などの予防または治療に寄与し得るサポーターを実現することができる。
【００３１】
また、本発明に係るサポーターでは、前記足甲部に取り付けられた留具をさらに備え、前記留具において、前記本体部が開放可能になっていることが好ましい。
【００３２】
上記の構成によれば、足甲部に取り付けられた留具において本体部が開放可能になっているため、サポーターを足へ容易に着脱することができる。また、留具として、例えば面ファスナーなどを用いることにより、足に対するサポーターの締付力を調整することが可能となり、足裏に対するパッドの着圧を最適化することができる。
【００３３】
また、本発明に係るサポーターでは、前記本体部は、足首に巻着される足首固定部をさらに含むことが好ましい。
【００３４】
上記の構成では、本体部が足首に巻着される足首固定部をさらに含むため、サポーターの装着時における本体部の位置ずれを抑制することができる。
【００３５】
したがって、上記の構成によれば、パッドを最適な位置に固定して、パッドによって舟状骨を適切に支えることができる。
【００３６】
また、本発明に係るサポーターでは、前記足甲部の面積は、前記足底部の面積よりも小さいことが好ましい。
【００３７】
上記の構成では、足甲部の伸縮性生地の面積が小さくなることにより、締付力が弱まり、足の甲に対する圧迫を低減することが可能となる。
【００３８】
したがって、上記の構成によれば、足の甲に集中する血管の血流を阻害することなく、パッドを舟状骨に向けて押圧することができる。
【００３９】
また、本発明に係るサポーターでは、前記足底部の前記伸縮性生地と前記パッドとの間に、前記パッドよりも低反発である低反発生地が設けられていることが好ましい。
【００４０】
上記の構成によれば、歩行時などにおける足裏にかかる衝撃を低反発生地によって吸収するとともに足裏の凹凸に沿うことができるため、足への負担を軽減し、サポーターの装着感を向上させることができる。
【００４１】
また、本発明に係るサポーターでは、前記本体部は、前記足底部および前記足甲部に設けられ、前記伸縮性生地よりも締付力の強い、足の周方向に延伸する環状の締付部をさらに含み、前記締付部は、前記パッドを前記舟状骨に向けて押圧することが好ましい。
【００４２】
上記の構成によれば、締付部によってパッドが舟状骨に向けて押圧されるため、舟状骨をパッドによって好適に支えることができる。
【００４３】
また、本発明に係るサポーターでは、前記締付部は、前記足甲部側における面積が、前記足底部側における面積よりも小さくなっているか、または、足の甲に対する着圧が、足裏に対する着圧よりも小さくなっていることが好ましい。
【００４４】
上記の構成では、足甲部側における締付部の面積が小さくなることにより、締付力が弱まり、足の甲に対する圧迫を低減することが可能となる。
【００４５】
したがって、上記の構成によれば、足の甲に集中する血管の血流を阻害することなく、パッドを舟状骨に向けて押圧することができる。
【発明の効果】
【００４６】
本発明は、舟状骨をずれないように支持し、足底アーチの降下を効果的に抑制して、足底筋膜炎などの予防または治療に寄与し得るパッドおよび当該パッドを備えたサポーターを提供することができるという効果を奏する。
【図面の簡単な説明】
【００４７】
【図１】本発明の実施形態１に係るサポーターを示す平面図であり、（ａ）は、サポーターの裏面側を示し、（ｂ）は、サポーターの表面側を示している。
【図２】図１に示されるサポーターを足（右足）に装着した状態を示す側面図であり、（ａ）は、足の内側から観た状態を示し、（ｂ）は、足の外側から観た状態を示している。
【図３】図１の（ａ）に示されるサポーターのＡ−Ａ’断面図である。
【図４】（ａ）は、図３に示されるパッドを示す上面図であり、（ｂ）は、（ａ）に示されるパッドのＢーＢ’断面図であり、（ｃ）は、（ａ）に示されるパッドを第１傾斜面２５から観た場合の側面図である。
【図５】(ａ)は、足（右足）の内側から見た場合の骨格を示す側面図であり、（ｂ）は、足の裏側から見た場合の骨格を示す下面図である。
【図６】図１に示される足底部に、パッドを取り付ける方法の一例を示す断面図である。
【図７】本発明の実施形態２に係るサポーターを示す平面図であり、（ａ）は、サポーターの裏面側を示し、（ｂ）は、サポーターの表面側を示している。
【図８】図７に示されるサポーターを足（右足）に装着した状態を示す側面図であり、（ａ）は、足の内側から観た状態を示し、（ｂ）は、足の外側から観た状態を示している。
【図９】本発明の実施形態３に係るサポーターを示す外観図である。
【図１０】図９に示されるサポーターを足（右足）に装着した状態を示す側面図であり、（ａ）は、足の内側から観た状態を示し、（ｂ）は、足の外側から観た状態を示している。
【図１１】本発明の実施形態４に係るサポーターを示す外観図である。
【図１２】図１１に示されるサポーターを足（右足）に装着した状態を示す側面図であり、（ａ）は、足の内側から観た状態を示し、（ｂ）は、足の外側から観た状態を示している。
【発明を実施するための形態】
【００４８】
〔実施形態１〕
以下、本発明の実施の形態について、図１から図６に基づいて説明すれば、以下のとおりである。本実施形態では、本発明に係るパッドを備えたサポーターの一例について説明する。
【００４９】
［サポーター１００の構成］
図１は、本実施形態に係るサポーター１００を示す平面図であり、図１の（ａ）は、サポーター１００の裏面１ａ側を示し、図１の（ｂ）は、サポーター１００の表面１ｂ側を示している。また、図２は、図１に示されるサポーター１００を足（右足）Ｆに装着した状態を示す側面図であり、図２の（ａ）は、足Ｆの内側から観た状態を示し、図２の（ｂ）は、足Ｆの外側から観た状態を示している。
【００５０】
本実施形態に係るサポーター１００は、足Ｆの周方向に巻着され、足裏の足底アーチをパッド２によって支えるものである。
【００５１】
図１および図２に示すように、サポーター１００は、本体部１、パッド２、および第１留具３を備えている。
【００５２】
（本体部１）
本体部１は、足Ｆの周方向に巻着されるストラップである。本体部１は、足裏に配置される足底部１１、および足の甲に配置される足甲部１２を含んでいる。本体部１は、足Ｆの幅方向（図１の左右方向）に延伸した形状である。本体部１が足Ｆの周方向に巻着された場合、本体部１の中央部である足底部１１が足裏に配置され、本体部１の両端部である足甲部１２が足の甲に配置される。
【００５３】
この本体部１は、伸縮性の高い生地（伸縮性生地）からなる。伸縮性生地は、通気性、吸湿性の良好なものが好ましい。例えば、綿、麻、毛、絹などの天然繊維、またはポリエステル、ナイロン、レーヨン、アクリルなどの化学繊維、などが伸縮性生地として好ましい。
【００５４】
足底部１１の内部には、パッド２が取り付けられている。サポーター１００は、伸縮可能な本体部１が引き延ばされつつ、足Ｆの周方向に巻着される。サポーター１００は、本体部１によってパッド２を足裏に圧着させ舟状骨を支持することにより、足底アーチを支える。
【００５５】
この本体部１では、足甲部１２の面積が、足底部１１の面積よりも小さくなっている。足甲部１２の伸縮性生地の面積が小さくなることにより、締付力が弱まるため、足の甲に対する圧迫を低減することが可能となる。
【００５６】
（パッド２）
パッド２は、舟状骨をずれないように支持し、足底アーチの降下を効果的に抑制するものである。パッド２は、形状復元性を有している。すなわち、パッド２は、荷重が付与されると変形し、荷重が解除されると復元する。
【００５７】
図３は、図１の（ａ）に示されるサポーター１００のＡ−Ａ’断面図である。図３に示すように、パッド２は、パッド２の最大高さを示す部分である頂部２４を、足底部１１の裏面１ａ側に突出させて足底部１１に配置されている。
【００５８】
具体的には、パッド２は、足底部１１の裏面１ａをなす第１伸縮性生地（伸縮性生地）１１１と、足底部１１の表面１ｂをなす第２伸縮性生地１１２（伸縮性生地）との間に挟み込まれている。
【００５９】
パッド２と第１伸縮性生地１１１との間には、第１低反発生地（低反発生地）１１３が介設されている。また、パッド２と第２伸縮性生地１１２との間には、第２低反発生地（低反発生地）１１４が介設されている。第１低反発生地１１３および第２低反発生地１１４は、パッド２よりも低反発なポリウレタンシートなどからなる。
【００６０】
パッド２と第１伸縮性生地１１１との間に第１低反発生地１１３を介設し、パッド２と第２伸縮性生地１１２との間に第２低反発生地１１４を介設することにより、歩行時などにおける足裏にかかる衝撃を吸収することができる。そのため、足への負担を軽減するとともに、足裏の凹凸に沿うためサポーター１００の装着感を向上させることができる。
【００６１】
ただし、第１低反発生地１１３および第２低反発生地１１４の両方を本体部１に設ける必要性はない。したがって、第１低反発生地１１３および第２低反発生地１１４のいずれか一方を本体部１に設けてもよい。
【００６２】
パッド２は、ウール、ポリウレタン、ラテックス、ポリエチレン、エステル、ポリアミド、ポリオレフィン、ポリ塩化ビニル、およびシリコーンなどからなる。加工性の観点から、パッド２は、ポリウレタンからなることが好ましく、特に発泡ウレタンからなることが好ましい。また、発泡ポリウレタンを使用することにより、通気性の向上と、軽量化が可能となる。
【００６３】
なお、パッド２は、使用により形状復元性が低下すると、パッド２によって舟状骨を適切に支えることができなくなる。そのため、繰り返しパッド２を使用するためには、パッド２は、使用により形状復元性が低下しにくい素材からなることが好ましい。
【００６４】
また、パッド２は、強い荷重をかけた場合に沈み込みすぎず、かつ、弱い荷重をかけた場合に適度に柔らかい弾力性を示す素材からなることが好ましい。これにより、不快感や痛みを伴うことなく、パッド２によって舟状骨を適切に支えることができる。
【００６５】
さらに、パッド２は、削り出し製法によって成形されていることが好ましい。これにより、パッド２の密度を均一にすることができるので、足裏に対する着圧を一定にすることができる。なお、パッド２の詳細は後述する。
【００６６】
（第１留具３）
第１留具３は、ストラップ状の本体部１を開放可能に繋ぎ止めるものである。本実施形態では、第１留具３として、面ファスナーを用いている。第１留具３は、第１フック部３１、および第１ループ部３２を含んでいる。
【００６７】
第１フック部３１は、本体部１の裏面１ａの一端側に位置する足甲部１２に設けられている。また、第１ループ部３２は、本体部１の表面１ｂの他端側に位置するに足甲部１２に設けられている。第１フック部３１と第１ループ部３２とを着脱することで、足甲部１２において本体部１が開放可能になっている。
【００６８】
なお、第１留具３の種類は、本体部１を開放可能に繋ぎ止めるものであれば特に限定されない。第１留具３として、例えば、ホックまたはスナップボタンなどを用いてもよい。ただし、第１留具３として、面ファスナーを用いることにより、足Ｆを周方向に締め付ける強さを調整することが可能となる。そのため、第１留具３として、面ファスナーを用いることが好ましい。
【００６９】
このような構成のサポーター１００では、本体部１によって、足底アーチにパッド２が常に圧着される。そのため、足Ｆが地面から離れている場合も、足底アーチをパッド２によって支えることができる。したがって、サポーター１００が足Ｆに装着されている間、舟状骨の位置が適切に保たれ、その結果、足底アーチの降下を抑制する効果を継続的に得ることができる。
【００７０】
［パッド２の詳細］
図４の（ａ）は、図３に示されるパッド２を示す上面図であり、図４の（ｂ）は、図４の（ａ）に示されるパッド２のＢ−Ｂ’断面図であり、図４の（ｃ）は、図４の（ａ）に示されるパッド２の第１傾斜面２５側から観た場合の側面図である。
【００７１】
図４の（ａ）に示すように、パッド２は、平面視において、略半円の形状を有している。パッド２は、足裏の内側に配置され、足Ｆの長手方向に沿って略直線的に延伸する第１端部２１を含んでいる。また、パッド２は、足裏の外側に配置され、足Ｆの内側へ反った円弧状に延伸して、当該第１端部２１に連なる第２端部２２を含んでいる。
【００７２】
また、パッド２は、足裏に向けて突出した稜線２３を含んでいる。稜線２３は、足Ｆの長手方向に沿って、略直線的に延伸している。パッド２は、稜線２３の中央部において高さ（厚み）が最大となっている。この最大高さを示す稜線２３の部分がパッド２の頂部２４となる。
【００７３】
図４の（ｂ）に示すように、足Ｆの長手方向に対して垂直であり、かつ頂部２４を通る平面で切断した場合のＢ−Ｂ’断面において、第１端部２１側よりに頂部２４が位置している。パッド２は、頂部２４から第１端部２１（足裏の内側）へ向けて急傾斜した第１傾斜面２５を含んでいる。また、パッド２は、頂部２４から第２端部２２（足裏の外側）へ向けて緩傾斜した第２傾斜面２６を含んでいる。
【００７４】
なお、第１傾斜面２５は、頂部２４と第１端部２１とを結ぶ全体として、第２傾斜面２６よりも相対的に傾き（平均傾き）が大きければよい。同様に、第２傾斜面２６は、頂部２４と第２端部２２とを結ぶ全体として、第１傾斜面２５よりも相対的に傾き（平均傾き）が小さければよい。また、第１傾斜面２５および第２傾斜面２６は、段階的に傾きが変化していてもよい（例えば、二段階傾斜）。
【００７５】
図４の（ｃ）に示すように、パッド２は、稜線２３の中央部において高さ（厚み）が最大となるように構成されている。パッド２の第１傾斜面２５側から観た場合、パッド２は、頂部２４から、足Ｆの長手方向（図４の（ｃ）の左右方向）へ向けて稜線２３が対称的に緩傾斜した形状である。
【００７６】
図５の(ａ)は、足（右足）Ｆの内側から見た場合の骨格を示す側面図であり、図５の（ｂ）は、足Ｆの裏側から見た場合の骨格を示す下面図である。
【００７７】
図５の(ａ)および（ｂ）に示すように、足骨は複雑に組み合わされている。複雑に組み合わされた足骨の構造上、舟状骨がずれると、舟状骨に繋がる内側楔状骨、中間側楔状骨、外側楔状骨および距骨の組み合わせが崩れ、その結果、足底アーチの降下が起こりやすくなる。そのため、足底アーチの降下を防ぐためには、舟状骨を最適な位置に支えることが特に重要である。
【００７８】
そこで、パッド２は、足裏の舟状骨に対応する部分に頂部２４を有している。そのため、舟状骨を頂部２４で支えることが可能となり、舟状骨のずれをパッド２によって好適に抑制することができる。
【００７９】
特に、頂部２４は、舟状骨の舟状骨粗面に対応する部分を支えることが好ましい。舟状骨のうち足裏の最も内側に位置する舟状骨粗面には後脛骨筋が付いており、この後脛骨筋の緊張が足底アーチの維持に大きく影響している。そこで、舟状骨のうち、足裏の最も内側に位置する舟状骨粗面を頂部２４によって支えることにより、舟状骨のずれをパッド２によってより好適に抑制することが可能となる。したがって、足底アーチの降下を、パッド２によってより効果的に抑制することができる。
【００８０】
なお、パッド２の第１端部２１は、足Ｆの長手方向に沿って略直線状に延伸していることが好ましい。これにより、パッド２を足裏に圧着した際、足Ｆの幅方向における第１端部２１側のパッド２の変形を抑制することが可能となる。したがって、パッド２を足裏に圧着した際のパッド２の変形に伴う頂部２４の位置ずれを抑制して、パッド２によって舟状骨を適切に支えることができる。
【００８１】
また、パッド２は、舟状骨とともに、内側楔状骨、中間側楔状骨、外側楔状骨および距骨に対応する部分を支える形状であることが好ましい。これにより、足裏の土踏まず全体にパッドを圧着させて、足底アーチを確実に支えることができる。
【００８２】
また、パッド２の第１端部２１の長さは、４１ｍｍ以上、１１０ｍｍ以下であることが好ましい。足底アーチの長さは、足のサイズの約３８％である。そのため、子供の足サイズを１１０ｍｍ、大人（男性）の足のサイズ２９０ｍｍを仮定した場合、第１端部の長さを４１ｍｍ以上、１１０ｍｍ以下とすることにより、子供の足のサイズから大人の足のサイズに対応したパッド２を作成することが可能となる。
【００８３】
［パッド２の取付方法］
図６は、足底部１１にパッド２を取り付ける方法の一例を示す断面図である。サポーター１００では、モールド成形（熱接着）によって、足底部１１にパッド２を取り付けている。具体的には、図６に示すように、サポーター１００の表面１ｂ側から順に、第２伸縮性生地１１２、第２低反発生地１１４、パッド２、第１低反発生地１１３、第１伸縮性生地１１１を積層し、上下から熱プレスすることにより、パッド２を足底部１１に取り付けている。
【００８４】
このように、モールド成形によって足底部１１にパッド２を取り付けることにより、接着剤を用いる従来の方法に比べて、高い接着力が得られる。接着剤などを用いて足底部１１にパッド２を取り付けた場合、洗濯による接着力の低下が著しいため、洗濯することが困難であった。これに対して、サポーター１００では、モールド成形により足底部１１にパッド２を取り付けているため、洗濯したとしても接着力が低下しにくい。そのため、サポーター１００は繰り返して洗濯することが可能であり、サポーター１００を清潔に保つことができる。
【００８５】
（サポーター１００の効果）
本実施形態にサポーター１００は、足底部１１および当該足底部１１に繋がる足甲部１２を含む、伸縮性生地から本体部１を有するサポーター１００であって、足底アーチを支えるパッド２を備えている。パッド２は、足底部１１に配置され、足裏の舟状骨に対応する部分に頂部２４を有している。
【００８６】
サポーター１００では、パッド２が足裏の舟状骨に対応する部分に頂部２４を有する。そのため、舟状骨を頂部２４で支えることにより、舟状骨の下方へのずれをパッド２によって好適に抑制することが可能となる。
【００８７】
したがって、本実施形態によれば、足底アーチの降下を効果的に抑制して、足底筋膜炎などの予防または治療に寄与し得るサポーター１００を実現することができる。
【００８８】
〔実施形態２〕
以下、本発明の他の実施の形態について、図７および図８に基づいて説明すれば、以下のとおりである。本実施形態では、本発明に係るパッドを備えたサポーターの他の一例について説明する。
【００８９】
なお、説明の便宜上、前記実施形態にて説明した部材と同じ機能を有する部材については、同じ符号を付記し、その説明を省略する。
【００９０】
［サポーター１０１の構成］
図７は、本実施形態に係るサポーター１０１を示す平面図であり、図７の（ａ）は、サポーター１０１の裏面１ａ側を示し、図７の（ｂ）は、サポーター１０１の表面１ｂ側を示している。また、図８は、図７に示されるサポーター１０１を足（右足）Ｆに装着した状態を示す側面図であり、図８の（ａ）は、足Ｆの内側から観た状態を示し、図８の（ｂ）は、足Ｆの外側から観た状態を示している。
【００９１】
図７および図８に示すように、サポーター１０１は、本体部５１、パッド２、第１留具３、第２留具４を備えている。
【００９２】
（本体部５１）
本体部５１は、足Ｆの周方向に巻着されるストラップである。本体部５１は、足裏に配置される足底部１１、足の甲に配置される足甲部１２、および足首に巻着される足首固定部１３を含んでいる。この足首固定部１３には、第２留具４が設けられている。足首固定部１３は、第２留具４において開放可能になっている。足首固定部１３は、サポーター１０１が足Ｆに装着された際、足首の周方向に巻着される。
【００９３】
（第２留具４）
第２留具４は、足首固定部１３を開放可能に繋ぎ止めるものである。本実施形態では、第２留具４として、面ファスナーを用いている。第２留具４は、第２フック部４１、および第２ループ部４２を含んでいる。
【００９４】
第２フック部４１は、本体部５１の裏面１ａ側の足首固定部１３の端部に設けられている。また、第２ループ部４２は、本体部５１の表面１ｂの足首固定部１３の端部に設けられている。第２フック部４１と第２ループ部４２とを着脱することで、足首固定部１３が第２留具４において開放可能になっている。
【００９５】
（サポーター１０１の効果）
本実施形態に係るサポーター１０１では、本体部５１は、足首に巻着される足首固定部１３を含んでいる。
【００９６】
サポーター１０１では、本体部５１が足首に巻着される足首固定部１３を含むため、サポーター１０１の装着時における本体部５１の位置ずれを抑制することができる。
【００９７】
したがって、本実施形態によれば、パッド２を最適な位置に固定して、パッド２によって舟状骨を適切に支えることが可能なサポーター１０１を実現することができる。
【００９８】
〔実施形態３〕
以下、本発明の他の実施の形態について、図９および図１０に基づいて説明すれば、以下のとおりである。本実施形態では、本発明に係るパッドを備えたサポーターの他の一例について説明する。
【００９９】
なお、説明の便宜上、前記実施形態にて説明した部材と同じ機能を有する部材については、同じ符号を付記し、その説明を省略する。
【０１００】
［サポーター１０２の構成］
図９は、本実施形態に係るサポーター１０２を示す外観図である。また、図１０は、図９に示されるサポーター１０２を足（右足）Ｆに装着した状態を示す側面図であり、図１０の（ａ）は、足Ｆの内側から観た状態を示し、図１０の（ｂ）は、足Ｆの外側から観た状態を示している。
【０１０１】
図９および図１０に示すように、サポーター１０２は、本体部６１、およびパッド２を備えている。
【０１０２】
（本体部６１）
本体部６１は、足裏に配置される足底部１１、足の甲に配置される足甲部１２、足の踵に配置される踵部１４、足首周りに配置される履き口部１５、および足底部１１および足甲部１２に設けられた環状の締付部１６を含んでいる。
【０１０３】
本体部６１は、足Ｆを挿入する履口開口部Ｍ１、および足Ｆの爪先を出す爪先開口部Ｍ２を有する筒状の伸縮性生地からなる。本体部６１は、緯編機で筒状に編成することで、伸縮性を調整することができる。
【０１０４】
締付部１６は、足底部１１および足甲部１２にわたって設けられ、足Ｆの周方向に延伸する環状の生地からなるものである。締付部１６は、足底部１１および足甲部１２よりも伸縮性が低い生地からなり、パッド２を舟状骨に向けて押圧する。
【０１０５】
この締付部１６には、足甲部１２側に切込部１６ａが形成されている。これにより、締付部１６の足甲部１２側における面積が、締付部１６の足底部１１側における面積よりも小さくなっている。そのため、締付部１６による足Ｆの甲に対する圧迫を低減することが可能となるため、足Ｆの甲に集中する血管の血流を阻害することなく、パッドを舟状骨に向けて押圧することができる。
【０１０６】
なお、本実施形態では、足甲部１２側の締付部１６に切込部１６ａを形成することによって足Ｆの甲に対する圧迫を低減しているが、例えば、足Ｆの甲に対する着圧が足裏に対する着圧よりも小さくなるように、締付部１６の度目密度を変更してもよい。
【０１０７】
［サポーター１０２の効果］
本実施形態に係るサポーター１０２では、本体部６１は、足底部１１、足甲部１２、踵部１４、履き口部１５、および締付部１６を含んでいる。締付部１６は、足底部１１および足甲部１２にわたって設けられた、足Ｆの周方向に延伸する環状の生地からなり、パッド２を舟状骨に向けて押圧する。
【０１０８】
サポーター１０２では、例えば面ファスナーである第１留具３および第２留具４を用いることなく、締付部１６によってパッド２を舟状骨に向けて押圧することが可能となる。
【０１０９】
したがって、本実施形態によれば、締付部１６によってパッド２を舟状骨に向けて押圧することにより、舟状骨のずれを好適に抑制することが可能なサポーター１０２を実現することができる。
【０１１０】
〔実施形態４〕
以下、本発明の他の実施の形態について、図１１および図１２に基づいて説明すれば、以下のとおりである。本実施形態では、本発明に係るパッドを備えたサポーターの他の一例について説明する。
【０１１１】
なお、説明の便宜上、前記実施形態にて説明した部材と同じ機能を有する部材については、同じ符号を付記し、その説明を省略する。
【０１１２】
［サポーター１０３の構成］
図１１は、本実施形態に係るサポーター１０３を示す斜視である。また、図１２は、図１１に示されるサポーター１０３を足（右足）Ｆに装着した状態を示す側面図であり、図１２の（ａ）は、足Ｆの内側から観た状態を示し、図１２の（ｂ）は、足Ｆの外側から観た状態を示している。
【０１１３】
図１１および図１２に示すように、サポーター１０３は、本体部７１、およびパッド２を備えている。
【０１１４】
（本体部７１）
本体部７１は、足裏に配置される足底部１１、足の甲に配置される足甲部１２、足首周りに配置される履き口部１５、および足底部１１および足甲部１２に設けられた環状の締付部１６を含んでいる。
【０１１５】
本体部７１は、足Ｆを挿入する履口開口部Ｍ１、足Ｆの爪先を出す爪先開口部Ｍ２、および足Ｆの踵を出す踵開口部Ｍ３を有する筒状の伸縮性生地からなる。
【０１１６】
本体部７１は、足Ｆの爪先を出す爪先開口部Ｍ２に加えて、足Ｆの踵を出す踵開口部Ｍ３を有している。そのため、上述した本体部６１に比べて、サポーター１０３の装着時における足Ｆの蒸れなどを効果的に抑制することができる。また、本体部７１は、本体部６１よりも履口開口部Ｍ１が大きく形成されており、靴を履いたときに靴の中に隠れやすいようになっている。
【０１１７】
［サポーター１０３の効果］
本実施形態に係るサポーター１０３では、本体部６１は、足底部１１、足甲部１２、履き口部１５、および締付部１６を含んでいる。締付部１６は、足底部１１および足甲部１２にわたって設けられた、足Ｆの周方向に延伸する環状の生地からなり、パッド２を舟状骨に向けて押圧する。
【０１１８】
したがって、本実施形態によれば、締付部１６によってパッド２を舟状骨に向けて押圧することにより、舟状骨のずれを好適に抑制することが可能なサポーター１０３を実現することができる。
【０１１９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１２０】
〔補足〕
なお、本発明は以下のように表現することもできる。すなわち、本発明に係るサポーターは、足底部と足甲部を有する伸縮性生地によるサポーターで、前記足底部に、パッド部を備え、前記パッド部は内側楔状骨・中間側楔状骨・外側楔状骨・舟状骨・距骨にあたる部分に位置し、前記パッド部は舟状骨にあたる部分の厚みが最も分厚いことを特徴としている。
【０１２１】
また、本発明に係るサポーターでは、前記パッドの内側縁部が上面から見て略直線上であることが好ましい。
【０１２２】
また、本発明に係るサポーターでは、前記パッドの内側縁部の長さが４１ｍｍ〜１１０ｍｍであることが好ましい。
【０１２３】
また、本発明に係るサポーターでは、前記パッドの立体形状の勾配が、舟状骨の親指側部分に当節する部分を頂点とし、内側縁部は側面から見て急傾斜で、外側縁部は上面から見て弓形状で側面から見て緩傾斜となることが好ましい。
【０１２４】
また、本発明に係るサポーターでは、前記伸縮性生地が平面状であり、前記足甲部が係合手段を備えたストラップ状であり、係合手段を係合することで、筒状となることが好ましい。
【０１２５】
また、本発明に係るサポーターでは、足首に周設される足首固定ベルトを備えることが好ましい。
【０１２６】
また、本発明に係るサポーターでは、前記足底部の面積が、前記足甲部の面積より広いことが好ましい。
【０１２７】
また、本発明に係るサポーターでは、少なくともに前記パッドに対応する位置において、パッドと肌に接する前記伸縮性生地との間に、前記伸縮性生地よりも厚みのある低反発生地が配置されていることが好ましい。
【０１２８】
また、本発明に係るサポーターでは、前記本体部を筒状体とし、前記パッドの中央を通るように、本体部の他の領域よりも着圧値の高い、帯状締め付け領域が周設されていることが好ましい。
【０１２９】
また、本発明に係るサポーターでは、帯状締め付け領域の甲側の面積が足底側の面積より狭いことが好ましい。
【符号の説明】
【０１３０】
１，５１，６１，７１  本体部
２  パッド
３  第１留具（留具）
１１  足底部
１２  足甲部
１６  締付部
２１  第１端部
２２  第２端部
２４  頂部
２５  第１傾斜面
２６  第２傾斜面
３１  第１フック部（留具）
３２  第１ループ部（留具）
１００，１０１，１０２，１０３  サポーター
１１１  第１伸縮性生地（伸縮性生地）
１１２  第２伸縮性生地（伸縮性生地）
１１３  第１低反発生地（低反発生地）
１１４  第２低反発生地（低反発生地）
Ｆ  足（右足）
【図１】
0006620332.tif 000002
【図２】
0006620332.tif 000003
【図３】
0006620332.tif 000004
【図４】
0006620332.tif 000005
【図５】
0006620332.tif 000006
【図６】
0006620332.tif 000007
【図７】
0006620332.tif 000008
【図８】
0006620332.tif 000009
【図９】
0006620332.tif 000010
【図１０】
0006620332.tif 000011
【図１１】
0006620332.tif 000012
【図１２】
0006620332.tif 000013